(57)【要約】【課題】配管配線の施工ミスを低減させ、設備工事の工期遅延を防止するマルチ空調システムの配管配線情報表示装置及び配管配線情報表示方法を提供する。【解決手段】マルチ空調システムの配管配線情報表示装置１は、室外機２と複数の室内機３とが配管配線により接続される配管継手４に取り付けられた継手ＩＣタグ１５に記録された継手識別情報を読取る読取部１７と、設備図２１に基づく配管系統情報と、読取られた継手識別情報とを記憶する記憶部１９と、読取られた配管継手の継手識別情報と、配管系統情報とから、その配管継手の配管配線情報を抽出して、表示部２０に伝送する制御部１８と、伝送されたその配管継手の配管配線情報を表示する表示部２０と、を備える。また、マルチ空調システムの配管配線情報表示方法は、本配管配線情報表示装置を用い、配管継手４の配管配線情報を表示する。【選択図】図１
2008215760.tif 000002
【特許請求の範囲】
【請求項１】
室外機と複数の室内機とが配管配線により接続されるマルチ空調システムの配管継手に取り付けられた継手認識タグに記録された継手識別情報を読取る読取部と、
設備図に基づく配管系統情報と、読取られた継手識別情報とを記憶する記憶部と、
読取られた配管継手の継手識別情報、及び記憶された配管系統情報から、その配管継手の配管配線情報を抽出して、表示部に伝送する制御部と、
伝送されたその配管継手の配管配線情報を表示する表示部と、
を備えることを特徴とするマルチ空調システムの配管配線情報表示装置。
【請求項２】
請求項１に記載のマルチ空調システムの配管配線情報表示装置において、制御部は、配管配線情報として、その配管継手の属する配管系統の区分と、その配管系統により接続される室外機及び室内機の識別情報とを抽出して表示部に伝送し、表示部は、その配管系統の区分及び識別情報を表示することを特徴とするマルチ空調システムの配管配線情報表示装置。
【請求項３】
請求項１又は２に記載のマルチ空調システムの配管配線情報表示装置において、読取部は、室外機及び室内機に取り付けられた空調機認識タグに記録された空調機識別情報を読取り、記憶部は、読取られた空調機識別情報を記憶し、制御部は、読取られた空調機識別情報、及び記憶された配管系統情報から、その室外機及び室内機に接続する配管継手の配管配線情報を抽出して表示部に伝送し、表示部は、伝送されたその配管配線情報を表示することを特徴とするマルチ空調システムの配管配線情報表示装置。
【請求項４】
請求項３に記載のマルチ空調システムの配管配線情報表示装置において、制御部は、配管配線情報として、その室外機又は室内機の属する配管系統の区分と、配管を介してその室外機又は室内機に接続される配管継手の識別情報とを抽出して表示部に伝送し、表示部は、その配管系統の区分及び識別情報を表示することを特徴とするマルチ空調システムの配管配線情報表示装置。
【請求項５】
請求項１乃至４のいずれか１に記載のマルチ空調システムの配管配線情報表示装置において、継手認識タグに記録される継手識別情報、及び空調機認識タグに記録される空調機識別情報には、その配管継手又は空調機の属する配管系統の区分と、その配管系統内の室外機、室内機、及び配管継手に対して連番で付されたアドレスが含まれることを特徴とするマルチ空調システムの配管配線情報表示装置。
【請求項６】
請求項１乃至５のいずれか１に記載のマルチ空調システムの配管配線情報表示装置において、継手認識タグ及び空調機認識タグは、非接触式ＩＣカードであることを特徴とするマルチ空調システムの配管配線情報表示装置。
【請求項７】
室外機と複数の室内機とが配管配線により接続されるマルチ空調システムの設備図に基づく配管系統情報を記憶させる工程と、
配管継手に取り付けられた継手認識タグに記録された継手識別情報を読取り記憶させる工程と、
読取られた配管継手の継手識別情報、及び記憶された配管系統情報から、その配管継手の配管配線情報を抽出させる工程と、
抽出されたその配管継手の配管配線情報を表示させる工程と、
を備えることを特徴とするマルチ空調システムの配管配線情報表示方法。
【請求項８】
請求項７に記載のマルチ空調システムの配管配線情報表示方法において、配管配線情報には、その配管継手の属する配管系統の区分と、その配管継手の属する配管系統により接続される室外機及び室内機の識別情報とが含まれることを特徴とするマルチ空調システムの配管配線情報表示方法。
【請求項９】
請求項７又は８に記載のマルチ空調システムの配管配線情報表示方法において、室外機及び室内機に取り付けられた空調機認識タグに記録された空調機識別情報を読取り記憶させる工程と、読取られた空調機の空調機識別情報、及び記憶された配管系統情報から、その室外機及び室内機に接続する配管継手の配管配線情報を抽出する工程と、その配管配線情報を表示する工程と、を備えることを特徴とするマルチ空調システムの配管配線情報表示方法。
【請求項１０】
請求項９に記載のマルチ空調システムの配管配線情報表示方法において、配管配線情報には、その室外機又は室内機の属する配管系統の区分と、配管を介してその室外機又は室内機に接続される配管継手の識別情報とが含まれることを特徴とするマルチ空調システムの配管配線情報表示方法。
【請求項１１】
請求項９又は１０に記載のマルチ空調システムの配管配線情報表示方法において、継手認識タグに記録される継手識別情報、及び空調機認識タグに記録される空調機識別情報には、その配管継手又は空調機の属する配管系統の区分と、その配管系統内の室外機、室内機、及び配管継手に対して連番で付されたアドレスが含まれることを特徴とするマルチ空調システムの配管配線情報表示方法。
【請求項１２】
請求項７乃至１１のいずれか１に記載のマルチ空調システムの配管配線情報表示方法において、継手認識タグ及び空調機認識タグは、非接触式ＩＣカードであることを特徴とするマルチ空調システムの配管配線情報表示方法。
【発明の詳細な説明】
【技術分野】
【０００１】
本発明は、マルチ空調システムの配管配線情報表示装置及び配管配線情報表示方法に係り、特に、室外機と複数の室内機とが配管配線により接続されるマルチ空調システムの配管配線情報表示装置、及びこの配管配線情報表示装置を用いた配管配線情報表示方法に関する。
【背景技術】
【０００２】
建物の空調設備においては、室内の空気調和機を個別分散化して良好な室内環境を確保するために、１台の室外機に対して複数の室内機を接続するマルチ空調システムが採用される。この室外機と室外機に接続される室内機とは、１つの配管系統を構成する。また、複数の室外機がそれぞれ複数の室内機と配管系統を構成し、建物内に複数の空調配管配線の配管系統が設けられる場合もある。また、室外機は主に屋上に設置されるため、各階に設置される室内機への配管配線は、まず、建物の上下方向に貫通する設備用のパイプシャフトが利用される。そして、これらのパイプシャフト内の配管配線は各階ごとに分岐され、天井裏などを利用して所定の室内機へと接続される。ここで、「配管配線」とは、空調機の室外機及び室内機の接続用配管を配線して接続することをいう。
【０００３】
図７に、１台の室外機とそれに接続される室内機とを配管配線により接続するマルチ空調システムの１つの実施例を示す。マルチ空調システム配管配線図３０には、１台の室外機２から配管６により各室内機３へと配管される配管配線システムが示されている。この配管６は、分岐継手（分岐ジョイント）２４、或いは分岐継手（分岐ヘッダー）２５により分岐され、複数の室内機３へと接続される。以下、これらの分岐継手２４，２５等を総称して配管継手４と称する。また、室外機２においては、室外機内配管９により圧縮機７及び熱交換器８が接続される。室内機３においても同様に室内機内配管１４により圧縮機１２及び熱交換器１３が接続される。図７では、この室内機内配管１４は１台の室内機３において代表して表示する。
【０００４】
また、図８に、図７の室外機２の部分拡大図を示す。室外機内配管９は、ガス管１０及び液管１１がペアになり、圧縮機７と熱交換器８とを接続する。また、配管６も同様にガス管２７及び液管２８がペアになって配線配管される。この配線配管は室内機（図示せず）３においても同様である。但し、ガス管１０、２７及び液管１１、２８がペアとならずに配線配管される場合もある。
【０００５】
このマルチ空調システムの配管配線に用いられる配管継手４は、上述の分岐継手（分岐ジョイント）２４、或いは分岐継手（分岐ヘッダー）２５以外にも各種の配管継手４がある。図９には、配管継手４の１種である分配器２６を示す。分配器２６は、２台の室外機２からの配管６が合流した箇所に設けられる。この分配器２６も配管継手４に含まれる。さらに、径の異なる配管を接続するためのレデューサ（図示せず）等も配管継手４に含まれる。すなわち、本発明でいう配管継手４とは、配管同士を接続するための接合部品を総称する。
【０００６】
このマルチ空調システムの配管配線の施工とは、作業員が現場において定められた径の銅配管を、配管継手を介して接続しながら室外機２と室内機３とを結ぶ作業をいう。また、設備の設計変更が発生した場合には、それに対応して配管配線を修正する作業をいう。銅配管は、鉄配管や塩ビ配管等の他の配管と比較して曲げ加工が容易なため、現場合わせにより配管配線する場合もある。
【０００７】
ここで、物品に取り付けられる認識タグとは、１次元バーコード、２次元バーコード、磁気カード、接触式ＩＣカード、非接触式ＩＣカードなどが含まれる。また、非接触式ＩＣカードとは、無線を用いた非接触の自動認識デバイスと定義され、ＲＦＩＤ(Ｒａｄｉｏ Ｆｒｅｑｕｅｎｃｙ Ｉｄｅｎｔｉｆｉｃａｔｉｏｎ)技術を利用したデバイスを指す。ＩＣタグやＩＤタグと呼ばれているものは非接触式ＩＣカードの一般名称である。
【０００８】
特許文献１には、複数室外機と複数室内機とを１系統の通信ネットワークにより接続してなるマルチ空調システムにおいて、室外機を１台ずつ運転することにより、この室外機に同一冷媒系統に接続される室内機の温度変化を検知し、通信ネットワークに接続される空調機群に自動的に区分けできることが開示されている。このようにして、同一冷媒系統に接続される空調機群が通信データ上で明らかになるので、この群ごとに、従来の自動アドレス設定方法が適用可能となる。このように、マルチ空調システムにおいては、室外機及び室内機の系統及び系統内での設置位置を示すアドレスが付いている。しかし、このアドレスは、空調システムの制御用のアドレスであり、空調設備の配管配線施工用のアドレスではない。
【０００９】
【特許文献１】特開平７−７１８０９号公報
【発明の開示】
【発明が解決しようとする課題】
【００１０】
マルチ空調システムにより１つの室外機からその配管系統に属する室内機へと配管配線するには配管継手が用いられる。また、複数の室外機を設置した場合には複数の配管系統が用いられる。このため１つの系統の配管配線、或いは複数の系統の配線は錯綜する場合がある。特に、建物の上下方向に貫通するパイプシャフト内には多数の系統の配管配線が混在して配線される。また、各階ごとの室内機への配管配線の分岐には多くの配管継手を用いて分岐しなければならない。従って、設備施工の現場においては配管配線のミスが生じ易い。
【００１１】
この配管配線のミスが発生すると、空調システムの試運転前のシステムの立ち上げ時間に時間を浪費し、設備工事の工期遅延の原因となる。つまり、配管配線のミスが存在したまま空調システムを運転すると、その配管配線ミスに関連する室内機には冷媒が流入しないためシステムが異常停止する。この異常停止の発生に対し、制御用のアドレスを振り替え直すことにより対応可能な場合がある。その際には、マルチ空調システムの電源を一旦落として空調機のアドレスを振り替えた後、再度電源を投入してアドレスを読込む作業が発生する。従って、これらの作業により設備工事の工期に大幅な遅延が発生する。
【００１２】
また、配管自体の手直しをしなければならない場合がある。この配管の手直しには、配管の切断や溶接作業のほか、冷媒の回収、配管の真空引きといった作業が発生する。この配管の真空引きは略１日の作業となる場合がある。また、これらの作業は天井が張られた後の作業となる場合が多く、施工性の悪い作業となる。従って、これらの作業により設備工事の工期に大幅な遅延が発生する。
【００１３】
本願の目的は、かかる課題を解決し、配管配線の施工ミスを低減させ、設備工事の工期遅延を防止するマルチ空調システムの配管配線情報表示装置及び配管配線情報表示方法を提供することである。
【課題を解決するための手段】
【００１４】
上記目的を達成するため、本発明に係るマルチ空調システムの配管配線情報表示装置は、室外機と複数の室内機とが配管配線により接続されるマルチ空調システムの配管継手に取り付けられた継手認識タグに記録された継手識別情報を読取る読取部と、設備図に基づく配管系統情報と、読取られた継手識別情報とを記憶する記憶部と、読取られた配管継手の継手識別情報、及び記憶された配管系統情報から、その配管継手の配管配線情報を抽出して、表示部に伝送する制御部と、伝送されたその配管継手の配管配線情報を表示する表示部と、を備えることを特徴とする。
【００１５】
また、マルチ空調システムの配管配線情報表示装置は、制御部が、配管配線情報として、その配管継手の属する配管系統の区分と、その配管系統により接続される室外機及び室内機の識別情報とを抽出して表示部に伝送し、表示部が、その配管系統の区分及び識別情報を表示することが好ましい。
【００１６】
また、マルチ空調システムの配管配線情報表示装置は、読取部が、室外機及び室内機に取り付けられた空調機認識タグに記録された空調機識別情報を読取り、記憶部が、読取られた空調機識別情報を記憶し、制御部が、読取られた空調機識別情報、及び記憶された配管系統情報から、その室外機及び室内機に接続する配管継手の配管配線情報を抽出して表示部に伝送し、表示部は、伝送されたその配管配線情報を表示することが好ましい。
【００１７】
また、マルチ空調システムの配管配線情報表示装置は、制御部が、配管配線情報として、その室外機又は室内機の属する配管系統の区分と、配管を介してその室外機又は室内機に接続される配管継手の識別情報とを抽出して表示部に伝送し、表示部が、その配管系統の区分及び識別情報を表示することが好ましい。
【００１８】
また、マルチ空調システムの配管配線情報表示装置は、継手認識タグに記録される継手識別情報、及び空調機認識タグに記録される空調機識別情報には、その配管継手又は空調機の属する配管系統の区分と、その配管系統内の室外機、室内機、及び配管継手に対して連番で付されたアドレスが含まれることが好ましい。
【００１９】
また、マルチ空調システムの配管配線情報表示装置は、継手認識タグ及び空調機認識タグが、非接触式ＩＣカードであることが好ましい。
【００２０】
また、上記目的を達成するため、本発明に係るマルチ空調システムの配管配線情報表示方法は、室外機と複数の室内機とが配管配線により接続されるマルチ空調システムの設備図に基づく配管系統情報を記憶させる工程と、配管継手に取り付けられた継手認識タグに記録された継手識別情報を読取り記憶させる工程と、読取られた配管継手の継手識別情報、及び記憶された配管系統情報から、その配管継手の配管配線情報を抽出させる工程と、抽出されたその配管継手の配管配線情報を表示させる工程と、を備えることを特徴とする。
【００２１】
また、マルチ空調システムの配管配線情報表示方法は、配管配線情報には、その配管継手の属する配管系統の区分と、その配管継手の属する配管系統により接続される室外機及び室内機の識別情報とが含まれることが好ましい。
【００２２】
また、マルチ空調システムの配管配線情報表示方法は、室外機及び室内機に取り付けられた空調機認識タグに記録された空調機識別情報を読取り記憶させる工程と、読取られた空調機の空調機識別情報、及び記憶された配管系統情報から、その室外機及び室内機に接続する配管継手の配管配線情報を抽出する工程と、その配管配線情報を表示する工程と、を備えることが好ましい。
【００２３】
また、マルチ空調システムの配管配線情報表示方法は、配管配線情報には、その室外機又は室内機の属する配管系統の区分と、配管を介してその室外機又は室内機に接続される配管継手の識別情報とが含まれることが好ましい。
【００２４】
また、マルチ空調システムの配管配線情報表示方法は、継手認識タグに記録される継手識別情報、及び空調機認識タグに記録される空調機識別情報には、その配管継手又は空調機の属する配管系統の区分と、その配管系統内の室外機、室内機、及び配管継手に対して連番で付されたアドレスが含まれることが好ましい。
【００２５】
さらに、マルチ空調システムの配管配線情報表示方法は、継手認識タグ及び空調機認識タグが、非接触式ＩＣカードであることが好ましい。
【発明の効果】
【００２６】
上記構成により、マルチ空調システムの配管配線情報表示装置は、読取部により配管継手に取り付けられた継手認識タグに記録された継手識別情報を読取り、記憶部により設備図に基づく配管系統情報と読取られた継手識別情報とを記憶させ、制御部により読取られた配管継手の継手識別情報と、記憶された配管系統情報とから、その配管継手の配管配線情報を抽出して表示部に伝送させ、表示部に、伝送されたその配管継手の配管配線情報を表示させる。これにより、マルチ空調システムの現場作業者は、本発明に係る配管配線情報表示装置を用いることで、その配管継手の配管配線情報を入手し、配管継手に配管配線する際の接続情報を容易に確認することが可能となる。
【００２７】
また、上記構成により、マルチ空調システムの配管配線情報表示方法は、まずマルチ空調システムの設備図に基づく配管系統情報を記憶させ、次に配管継手に取り付けられた継手認識タグに記録された継手識別情報を読取らせ、設備図に基づく配管系統情報と読取られた継手識別情報とを記憶させ、読取られた配管継手の継手識別情報に基づき、配管系統情報から、その配管継手の配管配線情報を抽出させ、その配管継手の配管配線情報を表示させる。これにより、マルチ空調システムの現場作業者は、本発明に係る配管配線情報表示方法を用いることで、その配管継手の配管配線情報を入手し、配管継手に配管配線する際の接続情報を容易に確認することが可能となる。
【００２８】
以上のように、本発明に係るマルチ空調システムの配管配線情報表示装置及び配管配線情報表示方法によれば、配管配線の施工ミスを低減させ、設備工事の工期遅延を防止することが可能となる。
【発明を実施するための最良の形態】
【００２９】
以下に、図面を用いて本発明に係るマルチ空調システムの配管配線情報表示装置の実施形態につき、詳細に説明する。
【００３０】
（配管配線情報表示装置）
図１に、マルチ空調システムの配管配線情報表示装置の概略構成を示す。マルチ空調システムの配管配線情報表示装置１は、読取部１７、制御部１８、記憶部１９及び表示部２０から構成される。また、設備図２１に基づく配管系等情報である配管系統データベース２２が作成され、配管配線情報表示装置１の記憶部１９に記憶される。さらに、配管継手４には継手認識タグである継手ＩＣタグ１５が取り付けられ、室外機２及び室内機３には空調機認識タグである空調機ＩＣタグ１６が取り付けられる。
【００３１】
図２に、マルチ空調システムの配管配線情報表示装置１、室外機２、室内機３及び配管継手４の構成を示す。図２（ａ）には、配管配線情報表示装置１と室外機２ａと室内機３ａ，３ｂとを接続する配管継手４である分岐継手（分岐ジョイント）２４を示す。また、図２（ｂ）に、マルチ空調システムの配管配線情報表示装置１と室外機２ｂと室内機３ｃ，３ｄ，３ｅとを接続する配管継手４である分岐継手（分岐ヘッダー）２５を示す。図２（ａ）及び図２（ｂ）では、配管継手４と、それに接続される配管６とは間隔を置いて記載し、接続前の状態であることを示す。なお、本実施形態では配管継手４について説明するが、上述した他の配管継手４、例えば、図９に示す分配器２６についても同様な構成である。
【００３２】
図２（ａ）に示すように、配管継手４には、継手ＩＣタグ１５が取り付けられ、室外機２ａ及び室内機３ａ及び３ｂには、空調機ＩＣタグ１６が取り付けられる。また、図２（ｂ）に示すように、配管継手４には、継手ＩＣタグ１５が取り付けられ、室外機２ｂ及び室内機３ｃ，３ｄ及び３ｅには、空調機ＩＣタグ１６が取り付けられる。また、本実施形態では、マルチ空調システムの配管配線情報表示装置１は、読取部１７及び表示部２０が外観から識別できる、携帯可能な装置である。
【００３３】
図１に示す設備図２１は、本実施形態では図７に示すような空調設備についてのシステム図をいうが、設備施工に用いられる施工図のように、設計図を基に作成された図面も含まれる。図３に、この設備図２１に基づく配管系統データベース２２の１つの実施例を示す。配管系統データベース２２は、配管系統ごとに作成され、１つの配管系統に含まれる、室外機２、室内機３および配管継手４には、それぞれ連番でアドレスが付される。図３では、図３中に示すように、配管系統ごとの配管系統データベース２２を表にして示す。ここでは、配管系統は「ＰＡＣ−１」であり、配管系統が異なると「ＰＡＣ−２」、「ＰＡＣ−３」・・・と数字が異なる。また、室外機２は「Ａｄｒ．１」、３つの室内機３はそれぞれ「Ａｄｒ．２〜４」、３つの配管継手４はそれぞれ「Ａｄｒ．５〜７」のアドレスが連番にて付される。このように１つの配管系統に含まれる、室外機２、室内機３および配管継手４を連番のアドレスを付すことで、それぞれの接続関係を簡易な記号により管理することが可能となる。
【００３４】
配管系統データベース２２には、設備図２１に基づき、各アドレスにつき、属性、設置場所、接続情報、配管情報等のデータが抽出されデータベースとして整理される。「属性」とは、そのアドレスが室外機２、室内機３および配管継手４のいずれかであるかを示す。「設置場所」とは、そのアドレスが設置される位置を示す。「接続情報」とは、配管継手４が接続する室外機２と室内機３とを抽出して表示し、或いは、空調機２，３が接続する配管継手４を抽出して表示する。この配管継手４が複数の室内機３に接続する場合、たとえば、図７の分岐継手（分岐ヘッダー）２５のような場合には、接続する室内機３を全て示す。また、例えば、図７の分岐継手（分岐ジョイント）２４ａのように、他の配管継手４に接続し、直接室内機３と接続しないものもあるが、そのような場合には、接続する配管継手２４を示す。或いは、その先で接続するすべての室内機３を示しても良い。「配管情報」とは、その配管継手４、及び空調機２，３に接続する配管の種類（ガス管１０，２７、液管１１，２８）及びその配管の径を接続元及び接続先のアドレスと関連させて表示する。なお、図３では、ガス管の場合のみ表示し、液管についての表示は省略する。ガス管及び液管がペアで接続する場合には、図３の表の「配管」の欄の「○」印のようにその旨を表示する。
【００３５】
この配管系統データベース２２は、本実施形態では、図３に示すように、基本的なデータを表示したが、他のデータを付加しても良い。例えば、「設置場所」には、さらに「接続元のアドレスと接続先のアドレスの間」、例えば、アドレス６の配管継手４の場合、「Ａｄｒ．４（配管継手４）−Ａｄｒ．７（配管継手４）」との表示、或いは「他のアドレスからの距離」、例えば、アドレス５の配管継手４の場合、「Ａｄｒ．２−１０００ｍｍ」との表示を加えても良い。また、項目として室外機２及び室内機３の能力を付加しても良い。
【００３６】
本実施形態では、継手ＩＣタグ１５に記録される継手識別情報は、図３に示す、その配管継手４の系統区分及びアドレスである。例えば、図３の配管継手（Ｂ）４の場合には、系統区分（ＰＡＣ−１）とアドレス（Ａｄｒ．６）とが記録される。また、空調機ＩＣタグ１６には、図３に示す、その配管継手４の系統区分及びアドレスが記録される。例えば、図３の室内機（Ｂ）３の場合には、系統区分（ＰＡＣ−１）とアドレス（Ａｄｒ．３）とが記録される。これらの継手ＩＣタグ１５及び空調機ＩＣタグ１６には、それぞれ配管継手４及び空調機２，３を認識する情報、例えば、属性等の系統区分及びアドレス以外の情報が記録されても良い。また、配管系統が１系統しかない場合には系統区分に記録は省略しても良い。
【００３７】
読取部１７は、配管継手４に取り付けられた継手ＩＣタグ１５から継手識別情報としてその配管継手４の系統区分及びアドレスを読取る。また、室外機２及び室内機３に取り付けられた空調機ＩＣタグ１６から空調機識別情報としてその空調機２，３の系統区分及びアドレスを読取る。この読取りは、非接触式のＩＣタグに図２に示す配管配線情報表示装置１の読取部１７を近づけることで読込む。
【００３８】
記憶部１９は、設備図２１に基づく配管系統データベース２２から、図３に例示する配管系統情報を記憶する。この配管系統情報は、マルチ空調システムの設備施工前に配管配線情報表示装置１の記憶部１９に記憶される。また、記憶部１９は、読取られた継手識別情報であるその配管継手４、或いは読取られた空調機識別情報であるその空調機２，３の系統区分及びアドレスを記憶する。
【００３９】
この継手識別情報及び空調機識別情報は、その配管継手４及び空調機２，３を識別するために最低限必要な情報である系統区分及びアドレスとしたが、系統区分が１つの場合には、その系統区分については省略しても良い。また、継手ＩＣタグ１５又は空調機ＩＣタグ１６には、系統区分及びアドレス以外の情報、例えば、配管系統データベース２２に表示されたデータの属性等が記録されても良い。
【００４０】
制御部１８は、読取られた配管継手４の継手識別情報である系統区分及びアドレス、及び記憶された配管系統情報である図３に示す情報から、その配管継手４の配管配線情報を抽出する。この配管配線情報には、まず、その配管継手４が属する配管系統の区分と、その配管系統により接続される室外機２及び室内機３の識別情報が含まれる。すなわち、図３に示す、系統区分（ＰＡＣ−１）と、「接続情報」の欄に示す、例えば、配管継手（Ｂ）４の場合には、「Ａｄｒ．１−Ａｄｒ．３」によって示される、その配管継手４が接続する室外機２と室内機３についての情報である。また、制御部１８は、読取られた空調機２，３の空調機識別情報である系統区分及びアドレス、及び記憶された配管系統情報である図３に示す情報から、その空調機２，３の配管配線情報を抽出する。この配管配線情報には、まず、その空調機２，３が属する配管系統の区分と、その配管系統により接続される配管継手４の識別情報が含まれる。すなわち、図３に示す、系統区分（ＰＡＣ−１）と、「接続情報」の欄に示す、例えば、室内機（Ｂ）３の場合には、「Ａｄｒ．６」によって示される、その空調機２，３が配管を介して接続される配管継手４についての情報である。
【００４１】
この制御部１８が抽出する配管系統情報は、その配管継手４又は空調機２，３を識別するために最低限必要な情報である系統区分及び接続情報としたが、系統区分が１つの場合には、その系統区分については省略しても良い。また、配管系統情報は、系統区分及び接続情報以外の情報、例えば、配管系統データベース２２に表示されたデータのうちの属性等が記録されても良い。そして、制御部１８はこの配管系統情報を表示部２０に伝送する。
【００４２】
表示部２０は、伝送されたその配管継手４の配管配線情報を表示する。図４及び図５に、表示部２０における表示の１つの実施例を示す。図４は、配管継手４の配管配線情報を表示した場合である。表示部２０には、その配管継手４のアドレス（Ａｄｒ．６（Ｂ））、系統区分（ＰＡＣ−１）、接続する室外機２のアドレス（Ａｄｒ．１）及び室内機３のアドレス（Ａｄｒ．３（Ｂ））が表示される。さらに、その配管継手４を中心とした配管配線図２３を表示し、その配管継手４が配管を介して接続する他の配管継手４、空調機２，３を表示しても良い。さらに、それらと接続する配管の径を表示しても良い。これらの情報の表示により、作業者は、その配管継手４が、どの系統区分に属し、どの室外機２と室内機３とを接続する配管継手４であるかを確認できる。また、その配管継手４に接続する配管の径が確認できる。図５は、空調機２，３の配管配線情報を表示した場合である。表示部２０には、その室内機３のアドレス（Ａｄｒ．４（Ｃ））、系統区分（ＰＡＣ−１）、接続する配管継手４のアドレス（Ａｄｒ．７（Ｃ））が表示される。さらに、室内機３を中心とした配管配線図２３を表示し、その室内機３が配管を介して接続する配管継手４を表示しても良い。さらに、それらと接続する配管の径を表示しても良い。これらの情報の表示により、作業者は、その配管継手４が、どの系統区分に属するかを確認でき、その室内機３に接続する配管継手４が確認できる。また、その室内機３に接続する配管の径が確認できる。
【００４３】
以下に、図面を用いて本発明に係るマルチ空調システムの配管配線情報表示方法の実施形態につき、詳細に説明する。
【００４４】
（配管配線情報表示方法）
図６に、マルチ空調システムの配管配線情報表示方法の概略構成をフローチャートで示す。まず、マルチ空調システムの設備図２１に基づく配管系統情報を記憶させる（Ｓ１）。この配管系統情報は、マルチ空調システムの配管配線情報表示装置１に記憶させる。この工程は、設備現場におけるマルチ空調システムの施工に先駆けて行われる。ここでいう設備図２１とは、本実施形態では図７に示すような空調設備についてのシステム図をいうが、設備施工に用いられる施工図のように、設計図を基に作成された図面も含まれる。また、配管系統情報とは、例えば、図１及び図３に示す配管系統データベース２２をいう。この配管系統データベース２２では、配管系統ごとに、室外機２、室内機３、及び配管継手４が連番となったアドレスを有する。また、各アドレスには、属性、設置場所、接続情報、配管情報等がデータとして記憶される。このように１つの配管系統に含まれる、室外機２、室内機３および配管継手４を連番でアドレスを付すことで、それぞれの配管接続を簡易な記号により管理することが可能となる。
【００４５】
次に、配管継手４に取り付けられた継手認識タグ１５に記録された継手識別情報を読取り記憶させる（Ｓ２ａ）。また、室外機２及び室内機３に取り付けられた空調機認識タグに記録された空調機識別情報を読取り記憶させる（Ｓ２ｂ）。これらの継手識別情報及び空調機識別情報は、マルチ空調システムの配管配線情報表示装置１に読取らせ記憶させる。この２つの工程は、マルチ空調システムの配管作業に応じて行われ、配管継手４に配管を取り付ける場合には前者が行われ、空調機２，３に配管継手４を接続する場合には後者が行われる。継手識別情報及び空調機識別情報とは、その配管継手４及び空調機２，３を識別するために最低限必要な情報である系統区分及びアドレスとするが、系統区分が１つの場合には、系統区分については省略しても良い。また、継手ＩＣタグ１５又は空調機ＩＣタグ１６には、系統区分及びアドレス以外の情報、例えば、配管系統データベース２２に表示されたデータのうちの属性が記録されても良い。
【００４６】
次に、読取られた配管継手４の継手識別情報、及び記憶された配管系統情報から、その配管継手４の配管配線情報を抽出させる（Ｓ３ａ）。また、読取られた空調機２，３の空調機識別情報、及び記憶された配管系統情報から、その室外機２及び室内機３に接続する配管継手４の配管配線情報を抽出させる（Ｓ３ｂ）。これらの配管配線情報の抽出は、マルチ空調システムの配管配線情報表示装置１内にて行われる。配管継手４の配管配線情報には、その配管継手４が属する配管系統の区分と、その配管系統により接続される室外機２及び室内機３の識別情報が含まれる。すなわち、図３に示す、系統区分（ＰＡＣ−１）と、「接続情報」の欄に示す、その配管継手４が接続する室外機２と室内機３についての情報である。また、空調機２，３の配管配線情報には、その空調機２，３が属する配管系統の区分と、その配管系統により接続される配管継手４の識別情報が含まれる。すなわち、図３に示す、系統区分（ＰＡＣ−１）と、「接続情報」の欄に示す、その空調機２，３が配管を介して接続される配管継手４についての情報である。
【００４７】
さらに、抽出されたその配管継手４の配管配線情報を表示させる（Ｓ４ａ）。また、抽出されたその空調機２，３の配管配線情報を表示させる（Ｓ４ｂ）。これらの配管配線情報は、マルチ空調システムの配管配線情報表示装置１に表示される。この配管配線情報の表示の１つの実施例を図４及び図５に示す。図４は、配管継手４の配管配線情報の場合であり、図５は、空調機２，３の配管配線情報の場合である。
【００４８】
これらの配管配線情報を表示させてマルチ空調システムの配管配線作業が全て完了するまで行い（Ｓ５）、全て完了すると配管配線作業は終了する。
【図面の簡単な説明】
【００４９】
【図１】本発明に係るマルチ空調システムの配管配線情報表示装置の１つの実施形態の概略構成を示すシステム図である。
【図２】マルチ空調システムの配管配線情報表示装置、室外機、室内機及び配管継手の構成を示す説明図である。
【図３】設備図に基づく配管系統データベースの１つの実施例を示す説明図である。
【図４】表示部における配管継手の配管配線情報の表示の１つの実施例を示す説明図である。
【図５】表示部における空調機の配管配線情報の表示の１つの実施例を示す説明図である。
【図６】本発明に係るマルチ空調システムの配管配線情報表示方法の１つの実施形態の概略構成を示すフローチャートである。
【図７】１台の室外機とそれに接続される室内機とを配管配線により接続するマルチ空調システムの１つの実施例を示す説明図である。
【図８】図７の室外機の部分拡大図である。
【図９】配管継手の１種である分配器を示す説明図である。
【符号の説明】
【００５０】
１  マルチ空調システムの配管配線情報表示装置、２，２ａ，２ｂ  室外機、３，３ａ，３ｂ，３ｃ，３ｄ，３ｅ  室内機、４，４ａ，４ｂ  配管継手、６  配管、７，１２  圧縮機、８，１３  熱交換器、９  室外機内配管、１０，２７  ガス管、１１，２８  液管、１４  室内機内配管、１５  継手ＩＣタグ、１６  空調機ＩＣタグ、１７  読取部、１８  制御部、１９  記憶部、２０  表示部、２１  設備図、２２  配管系統データベース、２３  配管配線図、２４，２４ａ  分岐継手（分岐ジョイント）、２５  分岐継手（分岐ヘッダー）、２６  分配器、３０  マルチ空調システム配管配線図。
【図１】
2008215760.tif 000003
【図２】
2008215760.tif 000004
【図３】
2008215760.tif 000005
【図４】
2008215760.tif 000006
【図５】
2008215760.tif 000007
【図６】
2008215760.tif 000008
【図７】
2008215760.tif 000009
【図８】
2008215760.tif 000010
【図９】
2008215760.tif 000011